(57)【要約】【課題】従来のネットワーク経由でコンテンツをダウンロードするダウンロード端末では、サービスにＤＲＭ技術を適用することにより期限を設けて視聴を許可する構成であったため、コンテンツ配信者は視聴期間を管理することはできたが、コンテンツリソース本体の数、もしくは容量を管理することができないという課題があった。【解決手段】コンテンツサーバ１０１から配信されるダウンロードコンテンツの種類には、少なくとも、コンテンツの視聴期限を制限するライセンスが関連付けられるレンタル型コンテンツがある。レンタル型コンテンツの配信またはダウンロードに際しては、追加配信または追加ダウンロードの可否を判断するための配信制限規定があり、ダウンロード端末２００がレンタル型コンテンツを追加ダウンロードする際には、配信制限規定の判断結果に従ってダウンロードを実行する。【選択図】図１
2009027384.tif 000002
【特許請求の範囲】
【請求項１】
配信者側のコンテンツサーバから配信されるダウンロードコンテンツを蓄積するダウンロード端末であって、
前記ダウンロードコンテンツの種類には、少なくとも、コンテンツの視聴期限を制限するライセンスが関連付けられるレンタル型コンテンツがあり、
前記レンタル型コンテンツの配信またはダウンロードに際しては、追加配信または追加ダウンロードの可否を判断するための配信制限規定があり、
前記レンタル型コンテンツを追加ダウンロードする際には、前記配信制限規定の判断結果に従ってダウンロードを実行するダウンロード端末。
【請求項２】
前記配信制限規定を満たさない場合には、既にダウンロード済みで蓄積されている前記レンタル型コンテンツのうちの前記視聴期限を経過した前記レンタル型コンテンツを削除し、
さらに前記配信制限規定を満たさない場合には、残りの前記既にダウンロード済みの前記レンタル型コンテンツのうちの一または複数を削除するようにユーザに促し、または、前記残りのダウンロード済みの前記レンタル型コンテンツのうちの一または複数の、そのコンテンツに関連付けられたライセンスを別形式のライセンスに移行するようにユーザに促す、請求項１に記載のダウンロード端末。
【請求項３】
前記配信者側の何らかのサーバが判断した前記配信制限規定の可否判断結果を受け取り、前記可否判断結果がダウンロード不可の場合には、既にダウンロード済みのコンテンツのいずれかひとつ、もしくは複数、もしくはすべてに対して、コンテンツを削除すること、または、コンテンツに関連付けられたライセンスを別形式のライセンスに移行させることをユーザに促す、請求項１に記載のダウンロード端末。
【請求項４】
前記配信制限規定を満たさない場合には、前記ダウンロード端末に既にダウンロード済みのコンテンツのいずれかひとつ、もしくは複数、もしくはすべてに対して、前記コンテンツを削除すること、または、前記コンテンツに関連付けられた前記ライセンスを別形式のライセンスに移行させることを前記配信者ごとに分類してユーザに促す、請求項１に記載のダウンロード端末。
【請求項５】
前記配信制限規定を満たさない場合には、前記ダウンロード端末に既にダウンロード済みのコンテンツのいずれかひとつ、もしくは複数、もしくはすべてに対して、前記コンテンツを削除すること、または、前記コンテンツに関連付けられた前記ライセンスに移行することを実行したのち、ダウンロードを実行する、請求項１に記載のダウンロード端末。
【請求項６】
前記配信制限規定は、前記ダウンロード端末内に既に蓄積されている前記レンタル型コンテンツの蓄積数、もしくは、前記蓄積数とすでに前記ダウンロード端末にダウンロードの予約登録がされた数との合計数が、上限値に達しているか否かである、請求項１に記載のダウンロード端末。
【請求項７】
前記配信制限規定は、個々の前記配信者ごとに規定される、請求項１に記載のダウンロード端末。
【請求項８】
前記制限は前記ダウンロード端末が管理している、請求項１に記載のダウンロード端末。
【請求項９】
前記制限は前記配信者側の何らかのサーバが管理している、請求項１に記載のダウンロード端末。
【請求項１０】
前記配信者側の何らかのサーバは、コンテンツを配信するコンテンツサーバ、前記ダウンロード端末の認証を行うＤＲＭサーバ、もしくはユーザに購入コンテンツの候補を提示するｗｅｂサーバのいずれかである、請求項９に記載のダウンロード端末。
【請求項１１】
前記配信者側の何らかのサーバは、前記ダウンロード端末における前記レンタル型コンテンツの購入もしくは、購入申し込みという事象と、前記ダウンロード端末における前記レンタル型コンテンツの削除という事象を識別し、管理する、請求項９に記載のダウンロード端末。
【請求項１２】
前記配信制限規定を満たさない場合には、前記ダウンロード端末内に既にダウンロード済みのコンテンツのいずれかひとつ、もしくは複数、もしくはすべてを削除する、請求項１に記載のダウンロード端末。
【請求項１３】
前記配信制限規定の可否判断は、前記ダウンロード端末が新たな前記レンタル型コンテンツを購入する時、もしくは、前記ダウンロード端末が新たな前記レンタル型コンテンツを購入しダウンロード処理を前記ダウンロード端末で待機する状態になる時、もしくは、前記ダウンロード端末が新たなレンタル型コンテンツのダウンロード処理を開始する時に行う、請求項１に記載のダウンロード端末。
【請求項１４】
前記別形式のライセンスは、前記コンテンツの前記視聴期限を定めない売り切り型ライセンスである、請求項２に記載のダウンロード端末。
【請求項１５】
前記配信制限規定の可否を判定するダウンロード可否判定手段を具備し、
前記ダウンロード可否判定手段の判定結果がダウンロード不可の場合には、前記ダウンロード端末に既にダウンロード済みのコンテンツのいずれかひとつ、もしくは複数、もしくはすべてに対して、コンテンツを削除すること、または、コンテンツに関連付けられたライセンスを別形式のライセンスに移行させることをユーザに促す、請求項１に記載のダウンロード端末。
【請求項１６】
前記視聴期限内にレンタル型コンテンツを削除する場合には、削除するコンテンツの配信業者から新たなコンテンツをレンタルする際に何らかの特典が付与される、請求項１に記載のダウンロード端末。
【請求項１７】
前記特典は、値引きまたは視聴期限の延長である、請求項１６に記載のダウンロード端末。
【請求項１８】
ダウンロード端末にダウンロードコンテンツを配信する配信者側のコンテンツサーバであって、
前記ダウンロードコンテンツの種類には、少なくとも、コンテンツの視聴期限を制限するライセンスが関連付けられるレンタル型コンテンツがあり、
前記レンタル型コンテンツの配信またはダウンロードに際しては、追加配信または追加ダウンロードの可否を判断するための配信制限規定があり、
前記レンタル型コンテンツを追加配信する際には、前記配信制限規定の判断結果に従って配信を実行するコンテンツサーバ。
【請求項１９】
前記配信制限規定を満たさない場合には、既に前記ダウンロード端末にダウンロード済みで蓄積されている前記レンタル型コンテンツのうちの前記視聴期限を経過した前記レンタル型コンテンツを削除させ、
さらに前記配信制限規定を満たさない場合には、残りの前記ダウンロード端末に既にダウンロード済みの前記レンタル型コンテンツのうちの一または複数を削除するようにユーザに促し、または、前記残りのダウンロード済みの前記レンタル型コンテンツのうちの一または複数の、そのコンテンツに関連付けられたライセンスを別形式のライセンスに移行するようにユーザに促す、請求項１８に記載のコンテンツサーバ。
【請求項２０】
前記ダウンロード端末は、前記配信者側の何らかのサーバが判断した前記配信制限規定の可否判断結果を受け取り、前記可否判断結果がダウンロード不可の場合には、既にダウンロード済みのコンテンツのいずれかひとつ、もしくは複数、もしくはすべてに対して、コンテンツを削除すること、または、コンテンツに関連付けられたライセンスを別形式のライセンスに移行させることをユーザに促す、請求項１８に記載のコンテンツサーバ。
【請求項２１】
前記配信制限規定を満たさない場合には、前記ダウンロード端末に既にダウンロード済みのコンテンツのいずれかひとつ、もしくは複数、もしくはすべてに対して、前記コンテンツを削除すること、または、前記コンテンツに関連付けられた前記ライセンスを別形式のライセンスに移行させることを前記配信者ごとに分類してユーザに促す、請求項１８に記載のコンテンツサーバ。
【請求項２２】
前記配信制限規定を満たさない場合には、前記ダウンロード端末に既にダウンロード済みのコンテンツのいずれかひとつ、もしくは複数、もしくはすべてに対して、前記コンテンツを削除すること、または、前記コンテンツに関連付けられた前記ライセンスに移行することを実行したのち、ダウンロードを実行させる、請求項１８に記載のコンテンツサーバ。
【請求項２３】
前記配信制限規定は、前記ダウンロード端末内に既に蓄積されている前記レンタル型コンテンツの蓄積数、もしくは、前記蓄積数とすでに前記ダウンロード端末にダウンロードの予約登録がされた数との合計数が、上限値に達しているか否かである、請求項１８に記載のコンテンツサーバ。
【請求項２４】
前記配信制限規定は、個々の前記配信者ごとに規定される、請求項１８に記載のコンテンツサーバ。
【請求項２５】
前記制限は、前記ダウンロード端末が管理している、請求項１８に記載のコンテンツサーバ。
【請求項２６】
前記制限は、前記配信者側の何らかのサーバが管理している、請求項１８に記載のコンテンツサーバ。
【請求項２７】
前記配信者側の何らかのサーバは、コンテンツを配信するコンテンツサーバ、前記ダウンロード端末の認証を行うＤＲＭサーバ、もしくはユーザに購入コンテンツの候補を提示するｗｅｂサーバのいずれかである、請求項２６に記載のコンテンツサーバ。
【請求項２８】
前記配信者側の何らかのサーバは、前記ダウンロード端末における前記レンタル型コンテンツの購入もしくは、購入申し込みという事象と、前記ダウンロード端末における前記レンタル型コンテンツの削除という事象を識別し、管理する、請求項２６に記載のコンテンツサーバ。
【請求項２９】
前記配信制限規定を満たさない場合には、前記ダウンロード端末内に既にダウンロード済みのコンテンツのいずれかひとつ、もしくは複数、もしくはすべてを削除させる、請求項１８に記載のコンテンツサーバ。
【請求項３０】
前記配信制限規定の可否判断は、前記ダウンロード端末が新たな前記レンタル型コンテンツを購入する時、もしくは、前記ダウンロード端末が新たな前記レンタル型コンテンツを購入しダウンロード処理を前記ダウンロード端末で待機する状態になる時、もしくは、前記ダウンロード端末が新たなレンタル型コンテンツのダウンロード処理を開始する時に行う、請求項１８に記載のコンテンツサーバ。
【請求項３１】
前記別形式のライセンスは、前記コンテンツの前記視聴期限を定めない売り切り型ライセンスである、請求項１９に記載のコンテンツサーバ。
【請求項３２】
前記配信制限規定の可否を判定するダウンロード可否判定手段を具備し、
前記ダウンロード可否判定手段の判定結果がダウンロード不可の場合には、前記ダウンロード端末に既にダウンロード済みのコンテンツのいずれかひとつ、もしくは複数、もしくはすべてに対して、コンテンツを削除させること、または、コンテンツに関連付けられたライセンスを別形式のライセンスに移行させることをユーザに促す、請求項１８に記載のコンテンツサーバ。
【請求項３３】
前記視聴期限内にレンタル型コンテンツを削除させる場合には、削除するコンテンツの配信業者から新たなコンテンツをレンタルする際に何らかの特典が付与される、請求項１８に記載のコンテンツサーバ。
【請求項３４】
前記特典は、値引きまたは視聴期限の延長である、請求項３３に記載のコンテンツサーバ。
【請求項３５】
配信者側のコンテンツサーバから配信されるダウンロードコンテンツを、ダウンロードして蓄積するダウンロード端末のコンテンツ利用方法であって、
前記ダウンロードコンテンツの種類には、少なくとも、コンテンツの視聴期限を制限するライセンスが関連付けられるレンタル型コンテンツがあり、
前記レンタル型コンテンツの配信またはダウンロードに際しては、追加配信または追加ダウンロードの可否を判断するための配信制限規定があり、
前記レンタル型コンテンツを追加ダウンロードする際には、前記配信制限規定の判断結果に従ってダウンロードを実行するコンテンツ利用方法。
【請求項３６】
前記配信制限規定を満たさない場合には、既にダウンロード済みで蓄積されている前記レンタル型コンテンツのうちの前記視聴期限を経過した前記レンタル型コンテンツを削除し、
さらに前記配信制限規定を満たさない場合には、残りの前記既にダウンロード済みの前記レンタル型コンテンツのうちの一または複数を削除するようにユーザに促し、または、前記残りのダウンロード済みの前記レンタル型コンテンツのうちの一または複数の、そのコンテンツに関連付けられたライセンスを別形式のライセンスに移行するようにユーザに促す、請求項３５に記載のコンテンツ利用方法。
【請求項３７】
前記ダウンロード端末が、前記配信者側の何らかのサーバが判断した前記配信制限規定の可否判断結果を受け取り、前記可否判断結果がダウンロード不可の場合には、既にダウンロード済みのコンテンツのいずれかひとつ、もしくは複数、もしくはすべてに対して、コンテンツを削除すること、または、コンテンツに関連付けられたライセンスを別形式のライセンスに移行させることをユーザに促す、請求項３５に記載のコンテンツ利用方法。
【請求項３８】
前記配信制限規定を満たさない場合には、前記ダウンロード端末に既にダウンロード済みのコンテンツのいずれかひとつ、もしくは複数、もしくはすべてに対して、前記コンテンツを削除すること、または、前記コンテンツに関連付けられた前記ライセンスを別形式のライセンスに移行させることを前記配信者ごとに分類してユーザに促す、請求項３５に記載のコンテンツ利用方法。
【請求項３９】
前記配信制限規定を満たさない場合には、前記ダウンロード端末に既にダウンロード済みのコンテンツのいずれかひとつ、もしくは複数、もしくはすべてに対して、前記コンテンツを削除すること、または、前記コンテンツに関連付けられた前記ライセンスに移行することを実行したのち、ダウンロードを実行する、請求項３５に記載のコンテンツ利用方法。
【請求項４０】
前記配信制限規定は、前記ダウンロード端末内に既に蓄積されている前記レンタル型コンテンツの蓄積数、もしくは、前記蓄積数とすでに前記ダウンロード端末にダウンロードの予約登録がされた数との合計数が、上限値に達しているか否かである、請求項３５に記載のコンテンツ利用方法。
【請求項４１】
前記配信制限規定は、個々の前記配信者ごとに規定される、請求項３５に記載のコンテンツ利用方法。
【請求項４２】
前記制限は、前記ダウンロード端末が管理している、請求項３５に記載のコンテンツ利用方法。
【請求項４３】
前記制限は、前記配信者側の何らかのサーバが管理している、請求項３５に記載のコンテンツ利用方法。
【請求項４４】
前記配信者側の何らかのサーバは、コンテンツを配信するコンテンツサーバ、前記ダウンロード端末の認証を行うＤＲＭサーバ、もしくはユーザに購入コンテンツの候補を提示するｗｅｂサーバのいずれかである、請求項４３に記載のコンテンツ利用方法。
【請求項４５】
前記配信者側の何らかのサーバは、前記ダウンロード端末における前記レンタル型コンテンツの購入もしくは、購入申し込みという事象と、前記ダウンロード端末における前記レンタル型コンテンツの削除という事象を識別し、管理する、請求項４３に記載のコンテンツ利用方法。
【請求項４６】
前記配信制限規定を満たさない場合には、前記ダウンロード端末内に既にダウンロード済みのコンテンツのいずれかひとつ、もしくは複数、もしくはすべてを削除する、請求項３５に記載のコンテンツ利用方法。
【請求項４７】
前記配信制限規定の可否判断は、前記ダウンロード端末が新たな前記レンタル型コンテンツを購入する時、もしくは、前記ダウンロード端末が新たな前記レンタル型コンテンツを購入しダウンロード処理を前記ダウンロード端末で待機する状態になる時、もしくは、前記ダウンロード端末が新たなレンタル型コンテンツのダウンロード処理を開始する時に行う、請求項３５に記載のコンテンツ利用方法。
【請求項４８】
前記別形式のライセンスは、前記コンテンツの前記視聴期限を定めない売り切り型ライセンスである、請求項３６に記載のコンテンツ利用方法。
【請求項４９】
前記配信制限規定の可否を判定するダウンロード可否判定手段の判定結果がダウンロード不可の場合には、前記ダウンロード端末に既にダウンロード済みのコンテンツのいずれかひとつ、もしくは複数、もしくはすべてに対して、コンテンツを削除すること、または、コンテンツに関連付けられたライセンスを別形式のライセンスに移行させることをユーザに促す、請求項３６に記載のコンテンツ利用方法。
【請求項５０】
前記視聴期限内にレンタル型コンテンツを削除する場合には、削除するコンテンツの配信業者から新たなコンテンツをレンタルする際に何らかの特典が付与される、請求項３５に記載のコンテンツ利用方法。
【請求項５１】
前記特典は、値引きまたは視聴期限の延長である、請求項５０に記載のコンテンツ利用方法。
【請求項５２】
少なくとも、暗号化コンテンツをダウンロード端末に配信するコンテンツ配信サーバと、前記暗号化コンテンツの利用許諾ライセンスを発行するライセンスサーバとを備えたコンテンツ配信システムであって、
前記ダウンロードコンテンツの種類には、少なくとも、コンテンツの視聴期限を制限するライセンスが関連付けられるレンタル型コンテンツがあり、
前記レンタル型コンテンツの配信またはダウンロードに際しては、追加配信または追加ダウンロードの可否を判断するための配信制限規定があり、
前記ダウンロード端末によって前記レンタル型コンテンツを追加ダウンロードする際には、前記配信制限規定の判断結果に従ってダウンロードを実行するコンテンツ配信システム。
【請求項５３】
前記配信制限規定を満たさない場合には、既に前記ダウンロード端末にダウンロード済みで蓄積されている前記レンタル型コンテンツのうちの前記視聴期限を経過した前記レンタル型コンテンツを削除し、
さらに前記配信制限規定を満たさない場合には、残りの前記前記ダウンロード端末に既にダウンロード済みの前記レンタル型コンテンツのうちの一または複数を削除するようにユーザに促し、または、前記残りのダウンロード済みの前記レンタル型コンテンツのうちの一または複数の、そのコンテンツに関連付けられたライセンスを別形式のライセンスに移行するようにユーザに促す、請求項５２に記載のコンテンツ配信システム。
【請求項５４】
前記配信者側の何らかのサーバが判断した前記配信制限規定の可否判断結果を受け取り、前記可否判断結果がダウンロード不可の場合には、既にダウンロード済みのコンテンツのいずれかひとつ、もしくは複数、もしくはすべてに対して、コンテンツを削除すること、または、コンテンツに関連付けられたライセンスを別形式のライセンスに移行させることをユーザに促す、請求項５２に記載のコンテンツ配信システム。
【請求項５５】
前記配信制限規定を満たさない場合には、前記ダウンロード端末に既にダウンロード済みのコンテンツのいずれかひとつ、もしくは複数、もしくはすべてに対して、前記コンテンツを削除すること、または、前記コンテンツに関連付けられた前記ライセンスを別形式のライセンスに移行させることを前記配信者ごとに分類してユーザに促す、請求項５２に記載のコンテンツ配信システム。
【請求項５６】
前記配信制限規定を満たさない場合には、前記ダウンロード端末に既にダウンロード済みのコンテンツのいずれかひとつ、もしくは複数、もしくはすべてに対して、前記コンテンツを削除すること、または、前記コンテンツに関連付けられた前記ライセンスに移行することを実行したのち、ダウンロードを実行する、請求項５２に記載のコンテンツ配信システム。
【請求項５７】
前記配信制限規定は、前記ダウンロード端末内に既に蓄積されている前記レンタル型コンテンツの蓄積数、もしくは、前記蓄積数とすでに前記ダウンロード端末にダウンロードの予約登録がされた数との合計数が、上限値に達しているか否かである、請求項５２に記載のコンテンツ配信システム。
【請求項５８】
前記配信制限規定は、個々の前記配信者ごとに規定される、請求項５２に記載のコンテンツ配信システム。
【請求項５９】
前記制限は、前記ダウンロード端末が管理している、請求項５２に記載のコンテンツ配信システム。
【請求項６０】
前記制限は、前記配信者側の何らかのサーバが管理している、請求項５２に記載のコンテンツ配信システム。
【請求項６１】
前記配信者側の何らかのサーバは、コンテンツを配信するコンテンツサーバ、前記ダウンロード端末の認証を行うＤＲＭサーバ、もしくはユーザに購入コンテンツの候補を提示するｗｅｂサーバのいずれかである、請求項６０に記載のコンテンツ配信システム。
【請求項６２】
前記配信者側の何らかのサーバは、前記ダウンロード端末における前記レンタル型コンテンツの購入もしくは、購入申し込みという事象と、前記ダウンロード端末における前記レンタル型コンテンツの削除という事象を識別し、管理する、請求項６０に記載のコンテンツ配信システム。
【請求項６３】
前記配信制限規定を満たさない場合には、前記ダウンロード端末内に既にダウンロード済みのコンテンツのいずれかひとつ、もしくは複数、もしくはすべてを削除する、請求項５２に記載のコンテンツ配信システム。
【請求項６４】
前記配信制限規定の可否判断は、前記ダウンロード端末が新たな前記レンタル型コンテンツを購入する時、もしくは、前記ダウンロード端末が新たな前記レンタル型コンテンツを購入しダウンロード処理を前記ダウンロード端末で待機する状態になる時、もしくは、前記ダウンロード端末が新たなレンタル型コンテンツのダウンロード処理を開始する時に行う、請求項５２に記載のコンテンツ配信システム。
【請求項６５】
前記別形式のライセンスは、前記コンテンツの前記視聴期限を定めない売り切り型ライセンスである、請求項５３に記載のコンテンツ配信システム。
【請求項６６】
前記配信制限規定の可否を判定するダウンロード可否判定手段を具備し、
前記ダウンロード可否判定手段の判定結果がダウンロード不可の場合には、前記ダウンロード端末に既にダウンロード済みのコンテンツのいずれかひとつ、もしくは複数、もしくはすべてに対して、コンテンツを削除すること、または、コンテンツに関連付けられたライセンスを別形式のライセンスに移行させることをユーザに促す、請求項５２に記載のコンテンツ配信システム。
【請求項６７】
前記視聴期限内にレンタル型コンテンツを削除する場合には、削除するコンテンツの配信業者から新たなコンテンツをレンタルする際に何らかの特典が付与される、請求項５２に記載のコンテンツ配信システム。
【請求項６８】
前記特典は、値引きまたは視聴期限の延長である、請求項６７に記載のコンテンツ配信システム。
【発明の詳細な説明】
【技術分野】
【０００１】
本発明は、ネットワーク経由で映像や音声コンテンツをダウンロードして蓄積し、再生することのできる、ダウンロード端末、コンテンツサーバ、コンテンツ利用方法およびコンテンツ配信システムに関する。
【背景技術】
【０００２】
近年、インターネットの発達により、映画や音楽等をダウンロードして再生する技術が一般化しつつある。映画や音楽等のコンテンツ配信を行うサーバから、ＰＣ、ＡＶ機器、携帯端末やポータブル機器にネットワーク経由でコンテンツをダウンロードするサービスが多く提供されている。
【０００３】
この様なコンテンツ配信サービスにＤＲＭ技術を適用することにより、ダウンロードコンテンツにコンテンツの視聴期限を記したライセンスを発行し、その視聴期限内であれば視聴を許可し、視聴期限を過ぎれば視聴を禁止する、コンテンツのレンタルシステムを実現することができた。この種のレンタルシステムとして、例えば特許文献１に記載されているようなものがある。
【０００４】
図１５は、従来のレンタルシステムの構成を示した図である。
【０００５】
図１５において、インターネット網１０３を介して、家庭内のダウンロード端末１０４から、レンタル事業者が所有する事業者ｗｅｂサーバ１００、ダウンロードコンテンツサーバ１０１およびＤＲＭサーバ１０２にアクセス可能である。
【０００６】
事業者ｗｅｂサーバ１００は、レンタル事業者がユーザに対してレンタルコンテンツを提示するｗｅｂサーバである。またダウンロードコンテンツサーバ１０１は、ダウンロード端末１０４からの要求に対して、暗号化されたＡＶコンテンツを提供するダウンロードコンテンツのサーバである。また、ＤＲＭサーバ１０２は、ダウンロード端末１０４がダウンロードした暗号化コンテンツを復号するための復号鍵を提供するサーバである。また、ダウンロード端末１０４にはＴＶ１０５が接続されており、視聴者はダウンロードしたコンテンツをＴＶ１０５上で視聴する。
【０００７】
このようなレンタルシステムの動作を、図１５〜図１８に従って説明する。
【０００８】
図１７は、ダウンロード端末１０４の内部を示すブロック図である。
【０００９】
購入コンテンツ選択部１０７、ダウンロード実行部１１２およびＤＲＭクライアント１１４が、ネットワークＩ／Ｆ１０６を介してインターネット網１０３に接続されている。購入コンテンツ選択部１０７は、ユーザからの指示（図示せず）があると、事業者ｗｅｂサーバ１００に対して購入コンテンツリスト要求１０８を発行することにより、コンテンツリストページ１０９を取得するとともに、その内容をユーザに提示する。ユーザはこの購入コンテンツリストページ１０９を閲覧して、購入するコンテンツを決定する。ユーザが購入するコンテンツを決定すると、コンテンツ購入要求１１０が購入コンテンツ選択部１０７から事業者ｗｅｂサーバ１００に送信され、これを受けた事業者ｗｅｂサーバ１００は、購入コンテンツ選択部１０７に対して、要求されたコンテンツに対するコンテンツ視聴ライセンス１１１を発行する。
【００１０】
図１６は、事業者ｗｅｂサーバ１００が発行するコンテンツ視聴ライセンス１１１のデータ構造を示す図である。コンテンツ視聴ライセンス１１１は、コンテンツタイトル１１９、ライセンスＩＤ１２０、コンテンツリファレンスＩＤ（ＣＲＩＤ）１２１、ライセンス種別１２２、視聴期間１２３、コンテンツＵＲＩ１２４およびＤＲＭサーバＵＲＩ１２５のデータで構成される。
【００１１】
購入コンテンツ選択部１０７は、取得したコンテンツ視聴ライセンス１１１を、ＨＤＤ１８０に保存するとともに、ダウンロード実行部１１２に対して、ダウンロード命令１３０を発行する。このダウンロード命令１３０には、先ほど取得したコンテンツ視聴ライセンス１１１に含まれていたライセンスＩＤ１２０を含んでいる。
【００１２】
ダウンロード命令１３０を受けたダウンロード実行部１１２は、ＨＤＤ１８０上に保存されているコンテンツ視聴ライセンスを読み出し、購入コンテンツ選択部１０７から指定されたライセンスＩＤ１２０を持つコンテンツ視聴ライセンス１１１を見つけるとともに、これに含まれているコンテンツＵＲＩ１２４から、ダウンロードコンテンツサーバ１０１のアクセス先情報を取得する。ダウンロード実行部１１２は、ダウンロードコンテンツサーバ１０１に対して、コンテンツＵＲＩ１２４で指定されたコンテンツのコンテンツ取得要求１３１を発行し、ダウンロードコンテンツサーバ１０１から暗号化コンテンツ１３２をダウンロードするとともに、取得した暗号化コンテンツ１３２をＨＤＤ１８０に保存する。この際に、取得した暗号化コンテンツ１３２は、コンテンツ視聴ライセンス１１１の中のライセンスＩＤ１２０に対応付けられて保存される。
【００１３】
視聴コンテンツ選択部１１３は、ユーザが視聴するコンテンツを選ぶためのブロックであり、ユーザからの指示（図示せず）があると、ＨＤＤ１８０上に蓄積されているコンテンツ視聴ライセンスを読み出して、視聴可能なコンテンツの一覧をユーザに提示する。また視聴コンテンツ選択部１１３は、ユーザの選択したコンテンツに対応するコンテンツ視聴ライセンス１１１をＨＤＤ１８０から読み出し、当該コンテンツに対応する復号鍵要求１３３をＤＲＭクライアント１１４に対して発行する。このとき、復号鍵要求１３３には、コンテンツ視聴ライセンス１１１から読み出したライセンスＩＤ１２０、コンテンツリファレンスＩＤ（ＣＲＩＤ）１２１およびＤＲＭサーバＵＲＩ１２５が含まれる。
【００１４】
復号鍵要求１３３を受けたＤＲＭクライアント１１４は、ＤＲＭサーバＵＲＩ１２５に基づいてＤＲＭサーバ１０２のアクセス先を識別し、ＤＲＭサーバ１０２との間で認証鍵交換処理１１６を実行する。ＤＲＭクライアント１１４は、認証鍵交換処理１１６で確立した暗号化通信経路上で、ＤＲＭサーバ１０２に対して復号鍵要求１１７を発行する。この復号鍵要求１１７には、視聴コンテンツ選択部１１３から取得したライセンスＩＤ１２０と、コンテンツリファレンスＩＤ（ＣＲＩＤ）１２１とが含まれる。
【００１５】
ＤＲＭクライアント１１４からの復号鍵要求１１７を受信したＤＲＭサーバ１０２は、指定されたコンテンツの復号鍵１１８をＤＲＭクライアント１１４に返送する。
【００１６】
ＤＲＭクライアント１１４が取得した復号鍵１１８は視聴コンテンツ選択部１１３に返送され、視聴コンテンツ選択部１１３は復号鍵１１８を復号機１４０にセットするとともに、ＨＤＤ１８０上に保存する。
【００１７】
視聴コンテンツ選択部１１３は、復号機１４０に対して復号命令１４１を発行する。この復号命令１４１には、ライセンスＩＤ１２０が含まれる。復号命令１４１を受けた復号機１４０は、受け取ったライセンスＩＤ１２０をもとに、対応する暗号化コンテンツをＨＤＤ１８０上から読み出し、セットされている復号鍵１１８を用いてこれを復号して復号コンテンツ１４２を出力する。復号コンテンツ１４２はＡＶデコーダ１４３に入力され、ＴＶ視聴に適した信号形式にデコードされてＴＶ出力１４４として出力される。
【００１８】
図１８は、事業者ｗｅｂサーバ１００、ダウンロードコンテンツサーバ１０１およびＤＲＭサーバ１０２における、データ共有およびデータ生成を示す図である。
【００１９】
ダウンロードコンテンツサーバ１０１には、事業者ｗｅｂサーバ１００によってユーザに提示される、購入可能なコンテンツのリストに対応したコンテンツソース１７２が格納されている。これらのコンテンツには個々にコンテンツリファレンスＩＤ（ＣＲＩＤ）１２１が割り振られている。暗号化機１７３は、コンテンツソース１７２を暗号化する暗号機であり、暗号鍵１８１の一覧から取り出した暗号鍵１８１を用いて個々のコンテンツソース１７２を暗号化し、暗号化コンテンツ１３２として保存する。この際にダウンロードコンテンツサーバ１０１は、コンテンンツリファレンスＩＤ（ＣＲＩＤ）１２１と、暗号鍵１８１との対応表である暗号鍵リスト１５１を作成し、これをＤＲＭサーバ１０２との間で、セキュアな通信手段（図示せず）によって共有する。
【００２０】
事業者ｗｅｂサーバ１００では、ダウンロード端末１０４からのコンテンツ購入要求１１０に応じて発行したコンテンツ視聴ライセンス１１１を全て発行済みライセンスリスト１５０として保存しており、この発行済みライセンスリスト１５０はＤＲＭサーバ１０２との間でセキュアな通信路（図示せず）を介して共有される。
【００２１】
ＤＲＭサーバ１０２は、ダウンロード端末１０４からの復号鍵要求１１７に応じて、復号鍵１１８を生成，返送する。この復号鍵１１８には、復号鍵の有効期間、すなわち、視聴のためにこの復号鍵を利用することが許諾される期間が、絶対日時で記されている。ＤＲＭサーバ１０２はこの視聴期間を決定するに際して、復号鍵要求１１７に含まれるライセンスＩＤ１２０をもとに発行済みライセンスリスト１５０を検索し、当該コンテンツの視聴期間（たとえば７日間有効など）を取得するとともに、復号鍵要求１１７を受信した現在時刻とあわせて、復号鍵１１８の有効期間を決定する。具体例としては、復号鍵要求１１７を受信した日時が、２００７年７月５日１０時００分であった場合には、復号鍵１１８の視聴有効期間として、２００７年７月５日１０時００分〜２００７年７月１２日１０時００分を設定し、暗号鍵とともに復号鍵１１８としてダウンロード端末１０４に返送する。
【００２２】
図１９は、以上の動作を時系列に沿って模式的に表したシーケンス図である。図中の各符号は、図１５、図１７および図１８で用いた各符号に対応している。
【００２３】
ダウンロード端末１０４において、ユーザからの再生要求１６１が発生した時刻がｔ１であり、復号されたコンテンツがＴＶ出力１４４として出画開始される時刻がｔ２である。
【００２４】
以上に説明したように、ダウンロード端末１０４においては、事業者ｗｅｂサーバ１００から取得したコンテンツ視聴ライセンス１１１に基づいて、ダウンロードコンテンツサーバ１０１から暗号化コンテンツ１３２を取得するとともに、視聴時においてはＤＲＭサーバ１０２に復号鍵要求１１７を発行して、復号鍵１１８を取得し、コンテンツを復号して視聴を実現する。また、ＤＲＭサーバ１０２においては、この復号鍵１１８の生成の際に、ダウンロード端末１０４から復号鍵要求１１７を受信した時刻に基いてコンテンツの視聴有効期間を決定する。ダウンロード端末１０４では、ＤＲＭサーバ１０２から取得した復号鍵１１８をＨＤＤ１８０上に保存し、視聴有効期間内であれば、ＤＲＭサーバ１０２に再度アクセスすることなく、当該コンテンツの視聴を行うことができる。
【特許文献１】特開２００１−３０９３３２号公報
【発明の開示】
【発明が解決しようとする課題】
【００２５】
しかしながら、上記従来のレンタルシステムにおいては、コンテンツの視聴可能な期限を規定することはできたが、コンテンツリソース本体についての扱いは規定できないため、以下のような課題があった。
【００２６】
第１の課題として、コンテンツ配信者が端末内のレンタル型のコンテンツリソース本体の数や容量を管理できないため、例えば、「月極め契約で任意のコンテンツを同時に５本までダウンロード端末のＨＤＤ内に保存できる」などのサービスが行えないことがあげられる。
【００２７】
第２の課題として、ダウンロードコンテンツリソース本体は暗号化されているとはいえ、視聴期限を過ぎたダウンロードコンテンツリソース本体がダウンロード端末内に残る場合、不正な利用につながるリスクがあげられる。
【００２８】
本発明は、上記従来の課題を考慮して、コンテンツ配信者がダウンロード端末内のレンタル型のコンテンツリソース本体の数または容量を管理でき、視聴期限を過ぎたレンタル型コンテンツの不正利用を抑制できる、ダウンロード端末、コンテンツサーバ、コンテンツ利用方法およびコンテンツ配信システムを提供することを目的とする。
【課題を解決するための手段】
【００２９】
上述した課題を解決するために、第１の本発明は、
配信者側のコンテンツサーバから配信されるダウンロードコンテンツを蓄積するダウンロード端末であって、
前記ダウンロードコンテンツの種類には、少なくとも、コンテンツの視聴期限を制限するライセンスが関連付けられるレンタル型コンテンツがあり、
前記レンタル型コンテンツの配信またはダウンロードに際しては、追加配信または追加ダウンロードの可否を判断するための配信制限規定があり、
前記レンタル型コンテンツを追加ダウンロードする際には、前記配信制限規定の判断結果に従ってダウンロードを実行するダウンロード端末である。
【００３０】
また、第２の本発明は、
前記配信制限規定を満たさない場合には、既にダウンロード済みで蓄積されている前記レンタル型コンテンツのうちの前記視聴期限を経過した前記レンタル型コンテンツを削除し、
さらに前記配信制限規定を満たさない場合には、残りの前記既にダウンロード済みの前記レンタル型コンテンツのうちの一または複数を削除するようにユーザに促し、または、前記残りのダウンロード済みの前記レンタル型コンテンツのうちの一または複数の、そのコンテンツに関連付けられたライセンスを別形式のライセンスに移行するようにユーザに促す、第１の本発明のダウンロード端末である。
【００３１】
また、第３の本発明は、
前記配信者側の何らかのサーバが判断した前記配信制限規定の可否判断結果を受け取り、前記可否判断結果がダウンロード不可の場合には、既にダウンロード済みのコンテンツのいずれかひとつ、もしくは複数、もしくはすべてに対して、コンテンツを削除すること、または、コンテンツに関連付けられたライセンスを別形式のライセンスに移行させることをユーザに促す、第１の本発明のダウンロード端末である。
【００３２】
また、第４の本発明は、
前記配信制限規定を満たさない場合には、前記ダウンロード端末に既にダウンロード済みのコンテンツのいずれかひとつ、もしくは複数、もしくはすべてに対して、前記コンテンツを削除すること、または、前記コンテンツに関連付けられた前記ライセンスを別形式のライセンスに移行させることを前記配信者ごとに分類してユーザに促す、第１の本発明のダウンロード端末である。
【００３３】
また、第５の本発明は、
前記配信制限規定を満たさない場合には、前記ダウンロード端末に既にダウンロード済みのコンテンツのいずれかひとつ、もしくは複数、もしくはすべてに対して、前記コンテンツを削除すること、または、前記コンテンツに関連付けられた前記ライセンスに移行することを実行したのち、ダウンロードを実行する、第１の本発明のダウンロード端末である。
【００３４】
また、第６の本発明は、
前記配信制限規定は、前記ダウンロード端末内に既に蓄積されている前記レンタル型コンテンツの蓄積数、もしくは、前記蓄積数とすでに前記ダウンロード端末にダウンロードの予約登録がされた数との合計数が、上限値に達しているか否かである、第１の本発明のダウンロード端末である。
【００３５】
また、第７の本発明は、
前記配信制限規定は、個々の前記配信者ごとに規定される、第１の本発明のダウンロード端末である。
【００３６】
また、第８の本発明は、
前記制限は前記ダウンロード端末が管理している、第１の本発明のダウンロード端末である。
【００３７】
また、第９の本発明は、
前記制限は前記配信者側の何らかのサーバが管理している、第１の本発明のダウンロード端末である。
【００３８】
また、第１０の本発明は、
前記配信者側の何らかのサーバは、コンテンツを配信するコンテンツサーバ、前記ダウンロード端末の認証を行うＤＲＭサーバ、もしくはユーザに購入コンテンツの候補を提示するｗｅｂサーバのいずれかである、第９の本発明のダウンロード端末である。
【００３９】
また、第１１の本発明は、
前記配信者側の何らかのサーバは、前記ダウンロード端末における前記レンタル型コンテンツの購入もしくは、購入申し込みという事象と、前記ダウンロード端末における前記レンタル型コンテンツの削除という事象を識別し、管理する、第９の本発明のダウンロード端末である。
【００４０】
また、第１２の本発明は、
前記配信制限規定を満たさない場合には、前記ダウンロード端末内に既にダウンロード済みのコンテンツのいずれかひとつ、もしくは複数、もしくはすべてを削除する、第１の本発明のダウンロード端末である。
【００４１】
また、第１３の本発明は、
前記配信制限規定の可否判断は、前記ダウンロード端末が新たな前記レンタル型コンテンツを購入する時、もしくは、前記ダウンロード端末が新たな前記レンタル型コンテンツを購入しダウンロード処理を前記ダウンロード端末で待機する状態になる時、もしくは、前記ダウンロード端末が新たなレンタル型コンテンツのダウンロード処理を開始する時に行う、第１の本発明のダウンロード端末である。
【００４２】
また、第１４の本発明は、
前記別形式のライセンスは、前記コンテンツの前記視聴期限を定めない売り切り型ライセンスである、第２の本発明のダウンロード端末である。
【００４３】
また、第１５の本発明は、
前記配信制限規定の可否を判定するダウンロード可否判定手段を具備し、
前記ダウンロード可否判定手段の判定結果がダウンロード不可の場合には、前記ダウンロード端末に既にダウンロード済みのコンテンツのいずれかひとつ、もしくは複数、もしくはすべてに対して、コンテンツを削除すること、または、コンテンツに関連付けられたライセンスを別形式のライセンスに移行させることをユーザに促す、第１の本発明のダウンロード端末である。
【００４４】
また、第１６の本発明は、
前記視聴期限内にレンタル型コンテンツを削除する場合には、削除するコンテンツの配信業者から新たなコンテンツをレンタルする際に何らかの特典が付与される、第１の本発明のダウンロード端末である。
【００４５】
また、第１７の本発明は、
前記特典は、値引きまたは視聴期限の延長である、第１６の本発明のダウンロード端末である。
【００４６】
また、第１８の本発明は、
ダウンロード端末にダウンロードコンテンツを配信する配信者側のコンテンツサーバであって、
前記ダウンロードコンテンツの種類には、少なくとも、コンテンツの視聴期限を制限するライセンスが関連付けられるレンタル型コンテンツがあり、
前記レンタル型コンテンツの配信またはダウンロードに際しては、追加配信または追加ダウンロードの可否を判断するための配信制限規定があり、
前記レンタル型コンテンツを追加配信する際には、前記配信制限規定の判断結果に従って配信を実行するコンテンツサーバである。
【００４７】
また、第１９の本発明は、
前記配信制限規定を満たさない場合には、既に前記ダウンロード端末にダウンロード済みで蓄積されている前記レンタル型コンテンツのうちの前記視聴期限を経過した前記レンタル型コンテンツを削除させ、
さらに前記配信制限規定を満たさない場合には、残りの前記ダウンロード端末に既にダウンロード済みの前記レンタル型コンテンツのうちの一または複数を削除するようにユーザに促し、または、前記残りのダウンロード済みの前記レンタル型コンテンツのうちの一または複数の、そのコンテンツに関連付けられたライセンスを別形式のライセンスに移行するようにユーザに促す、第１８の本発明のコンテンツサーバである。
【００４８】
また、第２０の本発明は、
前記ダウンロード端末は、前記配信者側の何らかのサーバが判断した前記配信制限規定の可否判断結果を受け取り、前記可否判断結果がダウンロード不可の場合には、既にダウンロード済みのコンテンツのいずれかひとつ、もしくは複数、もしくはすべてに対して、コンテンツを削除すること、または、コンテンツに関連付けられたライセンスを別形式のライセンスに移行させることをユーザに促す、第１８の本発明のコンテンツサーバである。
【００４９】
また、第２１の本発明は、
前記配信制限規定を満たさない場合には、前記ダウンロード端末に既にダウンロード済みのコンテンツのいずれかひとつ、もしくは複数、もしくはすべてに対して、前記コンテンツを削除すること、または、前記コンテンツに関連付けられた前記ライセンスを別形式のライセンスに移行させることを前記配信者ごとに分類してユーザに促す、第１８の本発明のコンテンツサーバである。
【００５０】
また、第２２の本発明は、
前記配信制限規定を満たさない場合には、前記ダウンロード端末に既にダウンロード済みのコンテンツのいずれかひとつ、もしくは複数、もしくはすべてに対して、前記コンテンツを削除すること、または、前記コンテンツに関連付けられた前記ライセンスに移行することを実行したのち、ダウンロードを実行させる、第１８の本発明のコンテンツサーバである。
【００５１】
また、第２３の本発明は、
前記配信制限規定は、前記ダウンロード端末内に既に蓄積されている前記レンタル型コンテンツの蓄積数、もしくは、前記蓄積数とすでに前記ダウンロード端末にダウンロードの予約登録がされた数との合計数が、上限値に達しているか否かである、第１８の本発明のコンテンツサーバである。
【００５２】
また、第２４の本発明は、
前記配信制限規定は、個々の前記配信者ごとに規定される、第１８の本発明のコンテンツサーバである。
【００５３】
また、第２５の本発明は、
前記制限は、前記ダウンロード端末が管理している、第１８の本発明のコンテンツサーバである。
【００５４】
また、第２６の本発明は、
前記制限は、前記配信者側の何らかのサーバが管理している、第１８の本発明のコンテンツサーバである。
【００５５】
また、第２７の本発明は、
前記配信者側の何らかのサーバは、コンテンツを配信するコンテンツサーバ、前記ダウンロード端末の認証を行うＤＲＭサーバ、もしくはユーザに購入コンテンツの候補を提示するｗｅｂサーバのいずれかである、第２６の本発明のコンテンツサーバである。
【００５６】
また、第２８の本発明は、
前記配信者側の何らかのサーバは、前記ダウンロード端末における前記レンタル型コンテンツの購入もしくは、購入申し込みという事象と、前記ダウンロード端末における前記レンタル型コンテンツの削除という事象を識別し、管理する、第２６の本発明のコンテンツサーバである。
【００５７】
また、第２９の本発明は、
前記配信制限規定を満たさない場合には、前記ダウンロード端末内に既にダウンロード済みのコンテンツのいずれかひとつ、もしくは複数、もしくはすべてを削除させる、第１８の本発明のコンテンツサーバである。
【００５８】
また、第３０の本発明は、
前記配信制限規定の可否判断は、前記ダウンロード端末が新たな前記レンタル型コンテンツを購入する時、もしくは、前記ダウンロード端末が新たな前記レンタル型コンテンツを購入しダウンロード処理を前記ダウンロード端末で待機する状態になる時、もしくは、前記ダウンロード端末が新たなレンタル型コンテンツのダウンロード処理を開始する時に行う、第１８の本発明のコンテンツサーバである。
【００５９】
また、第３１の本発明は、
前記別形式のライセンスは、前記コンテンツの前記視聴期限を定めない売り切り型ライセンスである、第１９の本発明のコンテンツサーバである。
【００６０】
また、第３２の本発明は、
前記配信制限規定の可否を判定するダウンロード可否判定手段を具備し、
前記ダウンロード可否判定手段の判定結果がダウンロード不可の場合には、前記ダウンロード端末に既にダウンロード済みのコンテンツのいずれかひとつ、もしくは複数、もしくはすべてに対して、コンテンツを削除させること、または、コンテンツに関連付けられたライセンスを別形式のライセンスに移行させることをユーザに促す、第１８の本発明のコンテンツサーバである。
【００６１】
また、第３３の本発明は、
前記視聴期限内にレンタル型コンテンツを削除させる場合には、削除するコンテンツの配信業者から新たなコンテンツをレンタルする際に何らかの特典が付与される、第１８の本発明のコンテンツサーバである。
【００６２】
また、第３４の本発明は、
前記特典は、値引きまたは視聴期限の延長である、第３３の本発明のコンテンツサーバである。
【００６３】
また、第３５の本発明は、
配信者側のコンテンツサーバから配信されるダウンロードコンテンツを、ダウンロードして蓄積するダウンロード端末のコンテンツ利用方法であって、
前記ダウンロードコンテンツの種類には、少なくとも、コンテンツの視聴期限を制限するライセンスが関連付けられるレンタル型コンテンツがあり、
前記レンタル型コンテンツの配信またはダウンロードに際しては、追加配信または追加ダウンロードの可否を判断するための配信制限規定があり、
前記レンタル型コンテンツを追加ダウンロードする際には、前記配信制限規定の判断結果に従ってダウンロードを実行するコンテンツ利用方法である。
【００６４】
また、第３６の本発明は、
前記配信制限規定を満たさない場合には、既にダウンロード済みで蓄積されている前記レンタル型コンテンツのうちの前記視聴期限を経過した前記レンタル型コンテンツを削除し、
さらに前記配信制限規定を満たさない場合には、残りの前記既にダウンロード済みの前記レンタル型コンテンツのうちの一または複数を削除するようにユーザに促し、または、前記残りのダウンロード済みの前記レンタル型コンテンツのうちの一または複数の、そのコンテンツに関連付けられたライセンスを別形式のライセンスに移行するようにユーザに促す、第３５の本発明のコンテンツ利用方法である。
【００６５】
また、第３７の本発明は、
前記ダウンロード端末が、前記配信者側の何らかのサーバが判断した前記配信制限規定の可否判断結果を受け取り、前記可否判断結果がダウンロード不可の場合には、既にダウンロード済みのコンテンツのいずれかひとつ、もしくは複数、もしくはすべてに対して、コンテンツを削除すること、または、コンテンツに関連付けられたライセンスを別形式のライセンスに移行させることをユーザに促す、第３５の本発明のコンテンツ利用方法である。
【００６６】
また、第３８の本発明は、
前記配信制限規定を満たさない場合には、前記ダウンロード端末に既にダウンロード済みのコンテンツのいずれかひとつ、もしくは複数、もしくはすべてに対して、前記コンテンツを削除すること、または、前記コンテンツに関連付けられた前記ライセンスを別形式のライセンスに移行させることを前記配信者ごとに分類してユーザに促す、第３５の本発明のコンテンツ利用方法である。
【００６７】
また、第３９の本発明は、
前記配信制限規定を満たさない場合には、前記ダウンロード端末に既にダウンロード済みのコンテンツのいずれかひとつ、もしくは複数、もしくはすべてに対して、前記コンテンツを削除すること、または、前記コンテンツに関連付けられた前記ライセンスに移行することを実行したのち、ダウンロードを実行する、第３５の本発明のコンテンツ利用方法である。
【００６８】
また、第４０の本発明は、
前記配信制限規定は、前記ダウンロード端末内に既に蓄積されている前記レンタル型コンテンツの蓄積数、もしくは、前記蓄積数とすでに前記ダウンロード端末にダウンロードの予約登録がされた数との合計数が、上限値に達しているか否かである、第３５の本発明のコンテンツ利用方法である。
【００６９】
また、第４１の本発明は、
前記配信制限規定は、個々の前記配信者ごとに規定される、第３５の本発明のコンテンツ利用方法である。
【００７０】
また、第４２の本発明は、
前記制限は、前記ダウンロード端末が管理している、第３５の本発明のコンテンツ利用方法である。
【００７１】
また、第４３の本発明は、
前記制限は、前記配信者側の何らかのサーバが管理している、第３５の本発明のコンテンツ利用方法である。
【００７２】
また、第４４の本発明は、
前記配信者側の何らかのサーバは、コンテンツを配信するコンテンツサーバ、前記ダウンロード端末の認証を行うＤＲＭサーバ、もしくはユーザに購入コンテンツの候補を提示するｗｅｂサーバのいずれかである、第４３の本発明のコンテンツ利用方法である。
【００７３】
また、第４５の本発明は、
前記配信者側の何らかのサーバは、前記ダウンロード端末における前記レンタル型コンテンツの購入もしくは、購入申し込みという事象と、前記ダウンロード端末における前記レンタル型コンテンツの削除という事象を識別し、管理する、第４３の本発明のコンテンツ利用方法である。
【００７４】
また、第４６の本発明は、
前記配信制限規定を満たさない場合には、前記ダウンロード端末内に既にダウンロード済みのコンテンツのいずれかひとつ、もしくは複数、もしくはすべてを削除する、第３５の本発明のコンテンツ利用方法である。
【００７５】
また、第４７の本発明は、
前記配信制限規定の可否判断は、前記ダウンロード端末が新たな前記レンタル型コンテンツを購入する時、もしくは、前記ダウンロード端末が新たな前記レンタル型コンテンツを購入しダウンロード処理を前記ダウンロード端末で待機する状態になる時、もしくは、前記ダウンロード端末が新たなレンタル型コンテンツのダウンロード処理を開始する時に行う、第３５の本発明のコンテンツ利用方法である。
【００７６】
また、第４８の本発明は、
前記別形式のライセンスは、前記コンテンツの前記視聴期限を定めない売り切り型ライセンスである、第３６の本発明のコンテンツ利用方法である。
【００７７】
また、第４９の本発明は、
前記配信制限規定の可否を判定するダウンロード可否判定手段の判定結果がダウンロード不可の場合には、前記ダウンロード端末に既にダウンロード済みのコンテンツのいずれかひとつ、もしくは複数、もしくはすべてに対して、コンテンツを削除すること、または、コンテンツに関連付けられたライセンスを別形式のライセンスに移行させることをユーザに促す、第３６の本発明のコンテンツ利用方法である。
【００７８】
また、第５０の本発明は、
前記視聴期限内にレンタル型コンテンツを削除する場合には、削除するコンテンツの配信業者から新たなコンテンツをレンタルする際に何らかの特典が付与される、第３５の本発明のコンテンツ利用方法である。
【００７９】
また、第５１の本発明は、
前記特典は、値引きまたは視聴期限の延長である、第５０の本発明のコンテンツ利用方法である。
【００８０】
また、第５２の本発明は、
少なくとも、暗号化コンテンツをダウンロード端末に配信するコンテンツ配信サーバと、前記暗号化コンテンツの利用許諾ライセンスを発行するライセンスサーバとを備えたコンテンツ配信システムであって、
前記ダウンロードコンテンツの種類には、少なくとも、コンテンツの視聴期限を制限するライセンスが関連付けられるレンタル型コンテンツがあり、
前記レンタル型コンテンツの配信またはダウンロードに際しては、追加配信または追加ダウンロードの可否を判断するための配信制限規定があり、
前記ダウンロード端末によって前記レンタル型コンテンツを追加ダウンロードする際には、前記配信制限規定の判断結果に従ってダウンロードを実行するコンテンツ配信システムである。
【００８１】
また、第５３の本発明は、
前記配信制限規定を満たさない場合には、既に前記ダウンロード端末にダウンロード済みで蓄積されている前記レンタル型コンテンツのうちの前記視聴期限を経過した前記レンタル型コンテンツを削除し、
さらに前記配信制限規定を満たさない場合には、残りの前記前記ダウンロード端末に既にダウンロード済みの前記レンタル型コンテンツのうちの一または複数を削除するようにユーザに促し、または、前記残りのダウンロード済みの前記レンタル型コンテンツのうちの一または複数の、そのコンテンツに関連付けられたライセンスを別形式のライセンスに移行するようにユーザに促す、第５２の本発明のコンテンツ配信システムである。
【００８２】
また、第５４の本発明は、
前記配信者側の何らかのサーバが判断した前記配信制限規定の可否判断結果を受け取り、前記可否判断結果がダウンロード不可の場合には、既にダウンロード済みのコンテンツのいずれかひとつ、もしくは複数、もしくはすべてに対して、コンテンツを削除すること、または、コンテンツに関連付けられたライセンスを別形式のライセンスに移行させることをユーザに促す、第５２の本発明のコンテンツ配信システムである。
【００８３】
また、第５５の本発明は、
前記配信制限規定を満たさない場合には、前記ダウンロード端末に既にダウンロード済みのコンテンツのいずれかひとつ、もしくは複数、もしくはすべてに対して、前記コンテンツを削除すること、または、前記コンテンツに関連付けられた前記ライセンスを別形式のライセンスに移行させることを前記配信者ごとに分類してユーザに促す、第５２の本発明のコンテンツ配信システムである。
【００８４】
また、第５６の本発明は、
前記配信制限規定を満たさない場合には、前記ダウンロード端末に既にダウンロード済みのコンテンツのいずれかひとつ、もしくは複数、もしくはすべてに対して、前記コンテンツを削除すること、または、前記コンテンツに関連付けられた前記ライセンスに移行することを実行したのち、ダウンロードを実行する、第５２の本発明のコンテンツ配信システムである。
【００８５】
また、第５７の本発明は、
前記配信制限規定は、前記ダウンロード端末内に既に蓄積されている前記レンタル型コンテンツの蓄積数、もしくは、前記蓄積数とすでに前記ダウンロード端末にダウンロードの予約登録がされた数との合計数が、上限値に達しているか否かである、第５２の本発明のコンテンツ配信システムである。
【００８６】
また、第５８の本発明は、
前記配信制限規定は、個々の前記配信者ごとに規定される、第５２の本発明のコンテンツ配信システムである。
【００８７】
また、第５９の本発明は、
前記制限は、前記ダウンロード端末が管理している、第５２の本発明のコンテンツ配信システムである。
【００８８】
また、第６０の本発明は、
前記制限は、前記配信者側の何らかのサーバが管理している、第５２の本発明のコンテンツ配信システムである。
【００８９】
また、第６１の本発明は、
前記配信者側の何らかのサーバは、コンテンツを配信するコンテンツサーバ、前記ダウンロード端末の認証を行うＤＲＭサーバ、もしくはユーザに購入コンテンツの候補を提示するｗｅｂサーバのいずれかである、第６０の本発明のコンテンツ配信システムである。
【００９０】
また、第６２の本発明は、
前記配信者側の何らかのサーバは、前記ダウンロード端末における前記レンタル型コンテンツの購入もしくは、購入申し込みという事象と、前記ダウンロード端末における前記レンタル型コンテンツの削除という事象を識別し、管理する、第６０の本発明のコンテンツ配信システムである。
【００９１】
また、第６３の本発明は、
前記配信制限規定を満たさない場合には、前記ダウンロード端末内に既にダウンロード済みのコンテンツのいずれかひとつ、もしくは複数、もしくはすべてを削除する、第５２の本発明のコンテンツ配信システムである。
【００９２】
また、第６４の本発明は、
前記配信制限規定の可否判断は、前記ダウンロード端末が新たな前記レンタル型コンテンツを購入する時、もしくは、前記ダウンロード端末が新たな前記レンタル型コンテンツを購入しダウンロード処理を前記ダウンロード端末で待機する状態になる時、もしくは、前記ダウンロード端末が新たなレンタル型コンテンツのダウンロード処理を開始する時に行う、第５２の本発明のコンテンツ配信システムである。
【００９３】
また、第６５の本発明は、
前記別形式のライセンスは、前記コンテンツの前記視聴期限を定めない売り切り型ライセンスである、第５３の本発明のコンテンツ配信システムである。
【００９４】
また、第６６の本発明は、
前記配信制限規定の可否を判定するダウンロード可否判定手段を具備し、
前記ダウンロード可否判定手段の判定結果がダウンロード不可の場合には、前記ダウンロード端末に既にダウンロード済みのコンテンツのいずれかひとつ、もしくは複数、もしくはすべてに対して、コンテンツを削除すること、または、コンテンツに関連付けられたライセンスを別形式のライセンスに移行させることをユーザに促す、第５２の本発明のコンテンツ配信システムである。
【００９５】
また、第６７の本発明は、
前記視聴期限内にレンタル型コンテンツを削除する場合には、削除するコンテンツの配信業者から新たなコンテンツをレンタルする際に何らかの特典が付与される、第５２の本発明のコンテンツ配信システムである。
【００９６】
また、第６８の本発明は、
前記特典は、値引きまたは視聴期限の延長である、第６７の本発明のコンテンツ配信システムである。
【発明の効果】
【００９７】
本発明により、コンテンツ配信者がダウンロード端末内のレンタル型のコンテンツリソース本体の数または容量を管理でき、視聴期限を過ぎたレンタル型コンテンツの不正利用を抑制できる、ダウンロード端末、コンテンツサーバ、コンテンツ利用方法およびコンテンツ配信システムを提供できる。
【発明を実施するための最良の形態】
【００９８】
以下に、本発明の実施の形態について、図面を参照しながら説明する。
【００９９】
（実施の形態１）
図１に、本発明の実施の形態１のレンタルシステムの構成図を示す。図１５に示した従来のレンタルシステムと同じ構成部分には、同じ符号を用いている。なお、本実施の形態１のレンタルシステムが、本発明のコンテンツ配信システムの一例にあたる。
【０１００】
本実施の形態１のレンタルシステムは、インターネット網１０３を介して、家庭内のダウンロード端末２００から、コンテンツ事業者が所有する事業者ｗｅｂサーバ８００、ダウンロードコンテンツサーバ１０１およびＤＲＭサーバ１０２にアクセス可能である。
【０１０１】
図１５に示した従来のレンタルシステムと同様の構成であるが、ダウンロード端末２００および事業者ｗｅｂサーバ８００の構成が、従来のレンタルシステムと異なる。
【０１０２】
事業者ｗｅｂサーバ８００は、コンテンツ事業者がユーザに対してレンタルコンテンツを提示するｗｅｂサーバである。またダウンロードコンテンツサーバ１０１は、ダウンロード端末２００からの要求に対して、暗号化されたＡＶコンテンツを提供するダウンロードコンテンツのサーバである。また、ＤＲＭサーバ１０２は、ダウンロード端末２００がダウンロードした暗号化コンテンツを復号するための復号鍵を提供するサーバである。また、ダウンロード端末２００にはＴＶ１０５が接続されており、視聴者はダウンロードしたコンテンツをＴＶ１０５上で視聴する。
【０１０３】
図２は、ダウンロード端末２００内のコンテンツ管理部３００が持つ、ＨＤＤ内コンテンツ管理テーブル３５０である。ＨＤＤ内コンテンツ管理テーブル３５０は、コンテンツタイトル３５１、コンテンツＩＤ３５２、ＨＤＤ内コンテンツ参照先３５３、レンタル型コンテンツ識別子３５４、コンテンツ事業者識別子７０１から構成される。コンテンツタイトル３５１は、コンテンツのタイトルを示す。コンテンツＩＤ３５２は、配信されたコンテンツを一意に識別するためのＩＤである。ＨＤＤ内コンテンツ参照先３５３は、ダウンロード端末２００内のＨＤＤ１８０に蓄積されたコンテンツのファイルの参照アドレスである。また、レンタル型コンテンツ識別子３５４は、視聴期限のあるレンタル型コンテンツか、視聴期限のない売り切り型コンテンツかを判定するための識別子である。レンタル型コンテンツの場合は「１」となり、売り切り型コンテンツの場合は「０」となる。コンテンツ事業者識別子７０１は、コンテンツ事業者を一意に特定するための識別子である。コンテンツタイトル３５１、コンテンツＩＤ３５２、レンタル型コンテンツ識別子３５４、コンテンツ事業者識別子７０１は、事業者ｗｅｂサーバ８００が付与し、コンテンツのダウンロード時にコンテンツ管理部３００が取得する（図示せず）。
【０１０４】
図３は、本発明におけるダウンロード端末２００のブロック図である。
【０１０５】
従来のダウンロード端末１０４と同じ機能を有するブロックには同じ符号を付し、説明を省略する。また、従来のダウンロード端末１０４と同じ機能を有する、ＤＲＭクライアント１１４、視聴コンテンツ選択部１１３、ダウンロード実行部１１２、復号機１４０、ＡＶデコーダ１４３の各ブロックは表記を省略する。
【０１０６】
本実施の形態１では、レンタル型コンテンツの配信制限規定は、ダウンロード端末２００のＨＤＤ１８０内にあるレンタル型コンテンツの蓄積数とし、事業者ｗｅｂサーバ８００が蓄積数の上限を設定し、ダウンロード端末２００へのレンタル型コンテンツの追加配信の可否を判断する。
【０１０７】
購入コンテンツ選択部３４０は、事業者ｗｅｂサーバ８００にネットワークＩ／Ｆ１０６を介して、コンテンツ購入要求１１０を送信する。事業者ｗｅｂサーバ８００がコンテンツ購入要求を受け付けた場合は、コンテンツ視聴ライセンス１１１をダウンロード端末２００が受信する。事業者ｗｅｂサーバ８００がＨＤＤ１８０に保存されたレンタル型コンテンツの蓄積数が上限に達していると判断した（詳細な判断処理については、後述する。）ときは、コンテンツ削除要求３０４を受信し、コンテンツ管理部３００にコンテンツ削除要求３０１を送信する。また、コンテンツ管理部３００から削除したコンテンツ数とともにコンテンツ削除通知３０２を受信すると、コンテンツ削除通知３０５をネットワークＩ／Ｆ１０６を介して事業者ｗｅｂサーバ８００に送信する。コンテンツ管理部３００からライセンスアップグレード通知３０６を受信すれば、ライセンスアップグレード通知３０７をネットワークＩ／Ｆ１０６を介して、事業者ｗｅｂサーバ８００に送信する。そして、事業者ｗｅｂサーバ８００から売り切り型ライセンス３０９を受け取る。これらの通信を受信した事業者ｗｅｂサーバ８００側の処理については後述する。ライセンスアップグレード通知３０６、ライセンスアップグレード通知３０７の各通信では、アップグレードするライセンスが関連付けられたコンテンツのコンテンツＩＤ３５２を伝達する。
【０１０８】
コンテンツ管理部３００は、図３に示すＨＤＤ内コンテンツ管理テーブル３５０を参照し、ＨＤＤ１８０に蓄積されたコンテンツの削除処理を行うブロックである。コンテンツ事業者識別子７０１とともにコンテンツ削除要求３０１を購入コンテンツ選択部３４０から受信すると、ＨＤＤ内コンテンツ管理テーブル３５０を参照し、受信したコンテンツ事業者識別子７０１に対応し、かつ、レンタル型コンテンツ識別子３５４が「１」のコンテンツタイトル３５１とコンテンツＩＤ３５２のリストとともに、削除ナビ表示制御部３１０に削除ナビ表示要求３１２を送信する。削除ナビ表示制御部３１０からコンテンツＩＤ３５２とともにコンテンツ削除通知３１６を受信すると、ＨＤＤ内コンテンツ管理テーブル３５０の受信したコンテンツＩＤ３５２に対応するＨＤＤ内コンテンツ参照先３５３にアクセスし、ＨＤＤ内コンテンツ削除３０３を実行し、ＨＤＤ内コンテンツ管理テーブル３５０の削除したコンテンツの項目を削除し、更新し、購入コンテンツ選択部３４０にコンテンツの削除数とともにコンテンツ削除通知３０２を送信する。また、ライセンスアップグレード促進画面表示制御部３１１より、コンテンツＩＤ３５２とともにライセンスアップグレード通知３１５を受信すると、受け取ったコンテンツＩＤ３５２とともに、ライセンスアップグレード通知３０６を購入コンテンツ選択部３４０に送信し、ＨＤＤ内コンテンツ管理テーブル３５０の受け取ったコンテンツＩＤ３５２に対応するレンタル型コンテンツ識別子３５４の値を「０」に更新する。
【０１０９】
削除ナビ表示制御部３１０は、コンテンツ管理部３００からのコンテンツタイトル３５１とコンテンツＩＤ３５２のリストとともに削除ナビ表示要求３１２を受信し、受け取ったコンテンツタイトル３５１を用いて図６に示すような削除ナビ５００を表示する。
【０１１０】
削除ナビ５００において、カーソル５０２によって、ユーザがコンテンツタイトル５０１を選択すると、削除ナビ表示制御部３１０は選択されたコンテンツタイトル５０１のコンテンツＩＤとともにライセンスアップグレード促進画面表示要求３１３をライセンスアップグレード促進画面表示制御部３１１に送信し、削除ナビ５００の表示を終了させる。また、ライセンスアップグレード促進画面表示制御部３１１からコンテンツＩＤ３５２とともにライセンスアップグレード拒否通知３１４を受信すると、受信したコンテンツＩＤ３５２とともにコンテンツ削除通知３１６をコンテンツ管理部３００に送信する。
【０１１１】
ライセンスアップグレード促進画面表示制御部３１１は、削除ナビ表示制御部３１０からコンテンツＩＤ３５２とともにライセンスアップグレード促進画面表示要求３１３を受信すると、図７で示されるライセンスアップグレード促進画面５１０を表示する。ユーザが「はい」ボタン５１１を選択すると、コンテンツＩＤ３５２とともにライセンスアップグレード通知３１５をコンテンツ管理部３００に送信する。ユーザが「いいえ」ボタン５１２を選択するとコンテンツＩＤ３５２とともにライセンスアップグレード拒否通知３１４を削除ナビ表示制御部３１０に送信する。
【０１１２】
図６は、本発明における削除ナビ５００のＧＵＩイメージ図である。この削除ナビ５００は、削除ナビ表示制御部３１０がコンテンツ管理部３００から削除ナビ表示要求３１２を受信したとき、その際に取得したコンテンツタイトル３５１のリストを用いて表示する。削除ナビ５００は、ユーザがダウンロード端末２００内にあるどのレンタル型コンテンツを削除すればよいかをユーザに対して表示する。
【０１１３】
削除ナビ５００の画面構成について説明する。削除ナビ５００には、コンテンツ事業者ごとにまとめられた、もしくは、あるひとつのコンテンツ事業者のみのダウンロード端末２００に蓄積されたレンタル型コンテンツのコンテンツタイトル５０１が表示される。ユーザがカーソル５０２によってコンテンツタイトル５０１を選択すると、図７に示すようなライセンスアップグレード促進画面５１０を表示し、削除ナビ５００で選択したコンテンツに付与されたライセンスをレンタル型から売り切り型へライセンスアップグレードを促す。
【０１１４】
図７は、本発明におけるライセンスアップグレード促進画面５１０のＧＵＩイメージ図である。このライセンスアップグレード促進画面５１０は、ライセンスアップグレード促進画面表示制御部３１１が削除ナビ表示制御部３１０からライセンスアップグレード促進画面表示要求３１３を受信したとき表示される。
【０１１５】
ライセンスアップグレード促進画面５１０には、「はい」ボタン５１１と「いいえ」ボタン５１２があり、「はい」ボタン５１１を選択すると、画面に表示されているコンテンツのライセンスをレンタル型から売り切り型にライセンスアップグレードする旨を、ライセンスアップグレード促進画面表示制御部３１１がライセンスアップグレード通知３１５によってコンテンツ管理部３００に送信する。「いいえ」ボタン５１２を選択した場合は、ライセンスアップグレードが拒否されたことを、ライセンスアップグレード促進画面表示制御部３１１がライセンスアップグレード拒否通知３１４を削除ナビ表示制御部３１０に送信することで行う。
【０１１６】
図５は、図４の事業者ｗｅｂサーバ８００の端末ＩＤ／コンテンツ蓄積数管理データベース６０４が持つ、ダウンロード端末ＩＤとレンタル型コンテンツ蓄積数管理テーブル４００を表す。
【０１１７】
端末ＩＤ４０１は、ダウンロード端末を一意に特定するための識別子で、事業者ｗｅｂサーバ８００が各ダウンロード端末に付与する。レンタル型コンテンツ蓄積数４０２は、端末ＩＤ４０１に対応するダウンロード端末２００内に蓄積されたレンタル型コンテンツの数を示す。端末ＩＤ／コンテンツ蓄積数管理データベース６０４は、ダウンロード端末ＩＤとレンタル型コンテンツ蓄積数管理テーブル４００を用いて、ダウンロード端末２００のＨＤＤ１８０内のレンタル型コンテンツ蓄積数を管理する。
【０１１８】
図４は、本発明における事業者ｗｅｂサーバ８００のブロック図である。従来の事業者ｗｅｂサーバ１００と異なる処理を持つブロックについて表記している。
【０１１９】
ネットワークＩ／Ｆ６００は、コンテンツ購入処理部６０１、もしくはダウンロード端末内コンテンツ削除処理部６０２、もしくはライセンスアップグレード処理部６０３にダウンロード端末２００からの通信を受け渡す。また、購入受付通知６１０、もしくはコンテンツ削除要求３０４、もしくは、売り切り型ライセンス３０９をダウンロード端末２００に送信する。
【０１２０】
コンテンツ購入処理部６０１は、ダウンロード端末２００からのコンテンツの購入の要求に対する可否の判断を行い、購入要求を処理するブロックである。ダウンロード端末２００からの端末ＩＤ４０１とともにコンテンツ購入要求１１０を受信すると、端末ＩＤ／コンテンツ蓄積数管理データベース６０４に受信した端末ＩＤ４０１とともに蓄積数要求６１１を送信し、端末ＩＤ／コンテンツ蓄積数管理データベース６０４からダウンロード端末２００内のレンタル型コンテンツの蓄積数を蓄積数通知６１２により取得する。取得した蓄積数が上限に達していないと判断した場合、ダウンロード端末２００へネットワークＩ／Ｆ６００を介して、購入受付通知６１０を送信し、コンテンツ購入要求を受け付ける。取得した蓄積数が上限に達していると判断した場合、ダウンロード端末内コンテンツ削除処理部６０２にコンテンツ削除要求６１４を端末ＩＤ４０１とともに送信する。
【０１２１】
ダウンロード端末内コンテンツ削除処理部６０２は、ダウンロード端末２００内に蓄積されたレンタル型コンテンツの削除処理を行うブロックである。コンテンツ購入処理部６０１より端末ＩＤ４０１とともにコンテンツ削除要求６１４を受信すると、ダウンロード端末２００にネットワークＩ／Ｆ６００を介して、コンテンツ削除要求３０４を端末ＩＤ４０１とともに送信する。ダウンロード端末２００から端末ＩＤ４０１と削除したコンテンツ数ともにコンテンツ削除通知３０５を受信すると、端末ＩＤ／コンテンツ蓄積数管理データベース６０４に受信した端末ＩＤ４０１と削除したコンテンツ数とともに蓄積数減算６１５を送信する。
【０１２２】
ライセンスアップグレード処理部６０３は、ダウンロード端末２００からネットワークＩ／Ｆ６００を介して、端末ＩＤ４０１とライセンスアップグレードしたコンテンツＩＤとともにライセンスアップグレード通知３０７を受信すると、端末ＩＤ／コンテンツ蓄積数管理データベース６０４に受信した端末ＩＤ４０１とともに蓄積数減算６１６を送信し、ダウンロード端末２００にネットワークＩ／Ｆ６００を介して売り切り型ライセンス３０９を送信する。
【０１２３】
端末ＩＤ／コンテンツ蓄積数管理データベース６０４は、ダウンロード端末ＩＤとレンタル型コンテンツ蓄積数管理テーブル４００を用いて、各ダウンロード端末の端末ＩＤ４０１とレンタル型コンテンツ蓄積数４０２を紐付けて管理するブロックである。コンテンツ購入処理部６０１から端末ＩＤ４０１とともに蓄積数要求６１１を受信すると、ダウンロード端末ＩＤとレンタル型コンテンツ蓄積数管理テーブル４００の受信した端末ＩＤ４０１に対応したレンタル型コンテンツ蓄積数４０２を参照し、参照したレンタル型コンテンツ蓄積数４０２とともにコンテンツ購入処理部６０１に蓄積数通知６１２を送信する。コンテンツ購入処理部６０１から端末ＩＤ４０１とともに蓄積数加算６１３を受信すると、ダウンロード端末ＩＤとレンタル型コンテンツ蓄積数管理テーブル４００を参照し、受信した端末ＩＤ４０１に対応するレンタル型コンテンツ蓄積数４０２の値を１つ加える。また、ダウンロード端末内コンテンツ削除処理部６０２から端末ＩＤ４０１と削除したコンテンツ数とともに蓄積数減算６１５を受信したときは、ダウンロード端末ＩＤとレンタル型コンテンツ蓄積数管理テーブル４００を参照し、受信した端末ＩＤ４０１に対応するレンタル型コンテンツ蓄積数４０２の値を削除したコンテンツ数だけ減ずる。また、ライセンスアップグレード処理部６０３から端末ＩＤ４０１とともに蓄積数減算６１６を受信したときは、ダウンロード端末ＩＤとレンタル型コンテンツ蓄積数管理テーブル４００を参照し、受信した端末ＩＤ４０１に対応するレンタル型コンテンツ蓄積数４０２の値を１つ減ずる。
【０１２４】
図８に、本実施の形態１の、ダウンロード端末２００と事業者ｗｅｂサーバ８００の処理の流れを示したフローチャートを示す。図８を用いて、本発明におけるダウンロード端末２００と事業者ｗｅｂサーバ８００との処理のフローチャートを説明する。
【０１２５】
ダウンロード端末２００からコンテンツ購入要求送信（Ｓ１）されると、事業者ｗｅｂサーバ８００はダウンロード端末２００内のレンタル型コンテンツの蓄積数を確認（Ｓ２）し、レンタル型コンテンツの蓄積数が上限に達している（Ｓ３）場合ではないとき、コンテンツ購入受付（Ｓ４）を行う。レンタル型コンテンツの蓄積数が上限に達している（Ｓ３）場合は、コンテンツ削除要求送信（Ｓ５）を行う。コンテンツ削除要求を受け取ったダウンロード端末２００は、コンテンツの削除ナビ５００を起動（Ｓ６）し、ユーザは削除ナビ５００に表示されたコンテンツの中から、削除したいコンテンツを選択する（Ｓ７）と、ライセンスアップグレード促進画面５１０が表示（Ｓ８）され、コンテンツのライセンスをレンタル型から売り切り型へライセンスアップグレードを行うかをたずねる（Ｓ９）。ライセンスアップグレードを行う場合、ライセンスアップグレード通知（Ｓ１０）をし、レンタル型から売り切り型へのライセンスアップグレード処理（Ｓ１１）を事業者ｗｅｂサーバ８００が行い、ダウンロード端末２００内のレンタル型コンテンツの蓄積数を更新（Ｓ１２）し、新たな売り切り型ライセンスを送信（Ｓ１３）する。新たな売り切り型ライセンスを受け取ったダウンロード端末２００は、レンタル型から売り切り型へのライセンスの更新処理（Ｓ１４）を行う。コンテンツのライセンスを売り切り型へアップしなかった場合（Ｓ９）、選択したコンテンツの削除処理（Ｓ１５）を行い、ダウンロード端末２００内から、関連する視聴ライセンス、暗号化コンテンツ、復号鍵を削除し、コンテンツ削除通知（Ｓ１６）を行う。コンテンツ削除通知（Ｓ１６）を事業者ｗｅｂサーバ８００が受け取ると、コンテンツ購入要求（Ｓ１）に対応するコンテンツ購入受付（Ｓ１７）を行い、ダウンロード端末内にあるレンタル型コンテンツの蓄積数の更新（Ｓ１８）を行う。
【０１２６】
なお、配信者制限規定とは、本実施の形態１ではレンタル型コンテンツの蓄積数としたが、これに限らない。ダウンロード端末２００のＨＤＤ１８０に蓄積された総容量であってもかまわない。
【０１２７】
なお、蓄積数とは、本実施の形態１ではダウンロード端末２００のＨＤＤ１８０に蓄積されたレンタル型コンテンツの数としたが、これに限らない。蓄積数には、コンテンツを購入したが、ＨＤＤ１８０にはまだ蓄積されていないがレンタル型コンテンツの数を含めてもかまわない。
【０１２８】
なお、ＨＤＤ内コンテンツ管理テーブル３５０のレンタル型コンテンツ識別子３５４は、本実施の形態１では、事業者ｗｅｂサーバ８００が付与し、コンテンツのダウンロード時にコンテンツ管理部３００が取得するとしたが、これに限らない。ダウンロードしたコンテンツの視聴期限、もしくは、購入の履歴を用いて、コンテンツ管理部３００がダウンロードしたコンテンツがレンタル型コンテンツか否かを判定し、レンタル型コンテンツ識別子３５４として管理してもよい。
【０１２９】
なお、削除ナビ５００やライセンスアップグレード促進画面５１０を、必ずしも表示する必要はない。
【０１３０】
例えば、図８において、ダウンロード端末２００がコンテンツ削除要求送信（Ｓ５）を受信した際に、ＨＤＤ１８０内に、視聴期限を経過したコンテンツが蓄積されている場合には、削除ナビ５００を表示しないで、その視聴期限を経過したコンテンツを自動的に削除して、事業者ｗｅｂサーバ８００に、コンテンツ削除通知を送信（Ｓ１６）するようにしてもよい。
【０１３１】
（実施の形態２）
図９に、本発明の実施の形態２のレンタルシステムの構成図を示す。図１５に示した従来のレンタルシステムと同じ構成部分には、同じ符号を用いている。
【０１３２】
本実施の形態２のレンタルシステムは、インターネット網１０３を介して、家庭内のダウンロード端末２０１から、コンテンツ事業者が所有する事業者ｗｅｂサーバ８０１、ダウンロードコンテンツサーバ１０１およびＤＲＭサーバ１０２にアクセス可能である。
【０１３３】
図１５に示した従来のレンタルシステムと同様の構成であるが、ダウンロード端末２０１および事業者ｗｅｂサーバ８０１の構成が、従来のレンタルシステムと異なる。
【０１３４】
実施の形態１は、配信者制限規定を事業者側のサーバが管理する例であるが、本実施の形態２は、ダウンロード端末側が管理する例である。
【０１３５】
図１０は、本実施の形態２におけるダウンロード端末２０１がコンテンツ事業者の事業者ｗｅｂサーバ８０１に初回アクセスを行った際に取得するレンタル型コンテンツ管理情報７００を表す。
【０１３６】
ダウンロード端末２０１は、レンタル型コンテンツ管理情報７００を用いて当該コンテンツ事業者のレンタル型コンテンツの蓄積数を管理する。レンタル型コンテンツ管理情報７００は、コンテンツ事業者を一意に特定できるコンテンツ事業者識別子７０１と、この事業者の配信するレンタル型コンテンツのダウンロード端末２０１に蓄積できる上限数を示すレンタル型コンテンツ上限蓄積数７０２とからなる。
【０１３７】
図１２は、本実施の形態２におけるダウンロード端末２０１の蓄積上限数管理部３９０が管理する事業者別蓄積上限数管理テーブル３８０を表す。事業者別蓄積上限数管理テーブル３８０は、コンテンツ事業者識別子７０１、レンタル型コンテンツ上限蓄積数７０２、ＨＤＤ内レンタル型コンテンツ蓄積数３８１から構成される。ＨＤＤ内レンタル型コンテンツ蓄積数３８１は、ダウンロード端末２０１内のレンタル型コンテンツの蓄積数である。
【０１３８】
図１１は、本発明におけるダウンロード端末２０１のブロック図である。従来のダウンロード端末１０４と同じ機能を有するブロックには同じ符号を付し、説明を省略する。また、従来のダウンロード端末１０４と同じ機能を有する、ＤＲＭクライアント１１４、視聴コンテンツ選択部１１３、ダウンロード実行部１１２、復号機１４０、ＡＶデコーダ１４３の各ブロックは表記を省略する。また、図２に示す実施の形態１のダウンロード端末２００と同じ機能を有するブロックには同じ符号を付し、説明を省略する。
【０１３９】
購入コンテンツ選択部３６０は、ダウンロード端末２０１が事業者ｗｅｂサーバ８０１に初回アクセスを行った際に事業者ｗｅｂサーバ８０１からレンタル型コンテンツ管理情報７００をコンテンツ管理情報３２０で取得し、蓄積上限数管理部３９０にコンテンツ管理情報３２１で受け渡す。また、事業者ｗｅｂサーバ８０１からコンテンツ事業者識別子７０１とともにコンテンツ蓄積数確認要求３２２を受信すると、蓄積上限数管理部３９０に受信したコンテンツ事業者識別子７０１とともにコンテンツ蓄積数確認３２３を送信する。蓄積上限数管理部３９０から購入可能通知３２４を受信すると、事業者ｗｅｂサーバ８０１にネットワークＩ／Ｆ１０６を介して購入可能通知３２５を送信する。
【０１４０】
蓄積上限数管理部３９０は、事業者別蓄積上限数管理テーブル３８０を用いて、端末内のレンタル型コンテンツ蓄積数を管理するブロックである。購入コンテンツ選択部３６０からレンタル型コンテンツ管理情報７００とともにコンテンツ管理情報３２１を受信すると事業者別蓄積上限数管理テーブル３８０に新たなコンテンツ事業者識別子７０１とレンタル型コンテンツ上限蓄積数７０２を追加し、更新する。購入コンテンツ選択部３６０からコンテンツ事業者識別子７０１とともにコンテンツ蓄積数確認３２３を受信すると、事業者別蓄積上限数管理テーブル３８０を参照し、受信したコンテンツ事業者識別子７０１に対応するＨＤＤ内レンタル型コンテンツ蓄積数３８１が当該レンタル型コンテンツ上限蓄積数７０２よりも少ないとき（例えば、図１２におけるコンテンツ事業者識別子７０１が「ＡＢＣ」のとき）は、購入可能通知３２４を購入コンテンツ選択部３６０に送信する。受信したコンテンツ事業者識別子７０１に対応するＨＤＤ内レンタル型コンテンツ蓄積数３８１が当該レンタル型コンテンツ上限蓄積数７０２と同じとき（例えば、図１２におけるコンテンツ事業者識別子７０１が「ＥＦＧ」のとき）は、コンテンツ管理部３７０にコンテンツ事業者識別子７０１とともにコンテンツ蓄積数上限通知３２６を送信する。また、コンテンツ管理部３７０からコンテンツ事業者識別子７０１と削除したコンテンツ数とともにコンテンツ削除通知３２７を受信したとき、事業者別蓄積上限数管理テーブル３８０の受信したコンテンツ事業者識別子７０１に対応するＨＤＤ内レンタルコンテンツ蓄積数３８１の値を、削除したコンテンツ数だけ減じ、購入コンテンツ選択部３６０に購入可能通知３２４を送信する。
【０１４１】
コンテンツ管理部３７０は、蓄積上限数管理部３９０からコンテンツ事業者識別子７０１とともにコンテンツ蓄積数上限通知３２６を受信すると、実施の形態１と同様に削除ナビ表示制御部３１０に削除ナビ表示要求３１２を送信する。削除ナビ表示制御部３１０から削除したコンテンツＩＤとともにコンテンツ削除通知３１６を受信すると、蓄積上限数管理部３９０に、削除したコンテンツ数とともにコンテンツ削除通知３２７を送信する。
【０１４２】
図１３は、本発明における事業者ｗｅｂサーバ８０１のブロック図である。図４に示す実施の形態１の事業者ｗｅｂサーバ８００と同じ機能を有するブロックには、同じ符号を付し、説明を省略する。
【０１４３】
コンテンツ管理情報配信部６２０は、レンタル型コンテンツ管理情報７００をダウンロード端末２０１に配信するブロックである。ダウンロード端末２０１が事業者ｗｅｂサーバ８０１に初回登録に来たとき、レンタル型コンテンツ管理情報７００とともにコンテンツ管理情報３２０をネットワークＩ／Ｆ６００を介してダウンロード端末２０１に送信する。
【０１４４】
コンテンツ購入処理部６２１は、ダウンロード端末２０１からコンテンツ購入要求１１０を受信すると、コンテンツ事業者識別子７０１とともにコンテンツ蓄積数確認要求３２２をダウンロード端末２０１に送信する。ダウンロード端末２０１から購入可能通知３２５を受信すると、コンテンツ購入要求１１０に対応する購入受付通知６１０をダウンロード端末２０１に送信する。
【０１４５】
図１４に、本実施の形態２の、ダウンロード端末２０１と事業者ｗｅｂサーバ８０１の処理の流れを示したフローチャートを示す。図１４を用いて、本発明におけるダウンロード端末２０１の処理の流れを説明する。図１４に示す処理の前に、ダウンロード端末２０１は事業者ｗｅｂサーバ８０１からレンタル型コンテンツ管理情報７００を取得しているものとする。
【０１４６】
ダウンロード端末２０１からコンテンツ購入要求送信（Ｓ２１）されると、事業者ｗｅｂサーバ８０１はコンテンツ事業者識別子７０１が含まれたレンタル型コンテンツ蓄積数確認要求送信（Ｓ２２）を行う。これを受け取ったダウンロード端末２０１は、端末内のコンテンツ事業者識別子７０１から参照されるレンタル型コンテンツの蓄積数を確認（Ｓ２３）し、レンタル型コンテンツの蓄積数がレンタル型上限蓄積数７０２に達しているかどうか判定（Ｓ２４）し、達していない場合はコンテンツ購入可能通知（Ｓ２５）を送り、それを受け取った事業者ｗｅｂサーバ８０１はコンテンツ購入受付（Ｓ２６）を行う。レンタル型コンテンツの蓄積数が上限に達していると判定（Ｓ２４）されたときは、コンテンツ削除ナビ５００が起動（Ｓ２７）し、削除コンテンツを選択（Ｓ２８）すると、ライセンスアップグレード促進画面５１０が表示（Ｓ２９）される。
【０１４７】
コンテンツのライセンスをレンタル型から売り切り型へライセンスアップグレード（Ｓ３０）する場合はライセンスアップグレード通知（Ｓ３１）を送り、事業者ｗｅｂサーバ８０１はレンタル型から売り切り型へライセンスアップグレード処理（Ｓ３２）を行い、新たな売り切り型ライセンスを送信（Ｓ３３）する。このライセンスをダウンロード端末２０１は受け取り、ライセンス更新処理（Ｓ３４）を行い、端末内で管理するコンテンツ事業者識別子７０１に対応するレンタル型コンテンツの蓄積数を更新（Ｓ３５）する。コンテンツのライセンスアップグレードをしない場合（Ｓ３０）、選択したコンテンツの削除処理（Ｓ３６）を行い、ダウンロード端末２０１は、端末内で管理するコンテンツ事業者識別子７０１に対応するレンタル型コンテンツの蓄積数を更新（Ｓ３７）し、コンテンツの削除通知（Ｓ３８）を行い、事業者ｗｅｂサーバ８０１はコンテンツ購入要求（Ｓ２１）に対応するコンテンツ購入受付（Ｓ３９）を行う。
【０１４８】
なお、実施の形態１の場合と同様に、削除ナビ５００やライセンスアップグレード促進画面５１０を、必ずしも表示する必要はない。
【０１４９】
例えば、図１４において、ダウンロード端末２０１がレンタル型コンテンツの蓄積数を確認して（Ｓ２４）上限に達していたときに、ＨＤＤ１８０内に、視聴期限を経過したコンテンツが蓄積されている場合には、削除ナビ５００を表示しないで、その視聴期限を経過したコンテンツを自動的に削除して、事業者ｗｅｂサーバ８０１に、コンテンツ購入可能通知を送信（Ｓ２５）するようにしてもよい。
【０１５０】
なお、配信者制限規定とは、本実施の形態２ではレンタル型コンテンツの蓄積数としたが、これに限らない。ダウンロード端末２０１のＨＤＤ１８０に蓄積された総容量であってもかまわない。
【０１５１】
なお、蓄積数とは、本実施の形態２ではダウンロード端末２０１のＨＤＤ１８０に蓄積されたレンタル型コンテンツの数としたが、これに限らない。蓄積数には、コンテンツを購入したが、ＨＤＤ１８０にはまだ蓄積されていないレンタル型コンテンツの数を含めてもかまわない。
【０１５２】
なお、各実施の形態において、削除ナビ５００から削除されるレンタル型のコンテンツが視聴期限内であるときは、削除したレンタル型コンテンツを配信していたコンテンツ事業者から次回にコンテンツを購入する際に割引購入ができる特典があってもよい。
【０１５３】
以上に説明したように、本発明のダウンロード端末、コンテンツサーバ等を用いることにより、コンテンツ事業者、もしくは、ダウンロード端末自身がダウンロード端末内に蓄積されたレンタル型のコンテンツリソース本体の数、もしくは容量を設定した範囲内に制限することができるという顕著な効果が得られる。
【０１５４】
また、本発明によれば、ダウンロード端末内に蓄積された期限切れのレンタル型コンテンツの不正利用のリスクを減らすことができるという顕著な効果が得られる。
【産業上の利用可能性】
【０１５５】
本発明に係るダウンロード端末、コンテンツサーバ、コンテンツ利用方法およびコンテンツ配信システムは、視聴期限付きのレンタル型コンテンツをダウンロード端末に追加配信、もしくは、追加ダウンロードの可否を判断するための配信制限規定があることを特徴とし、コンテンツ事業者がダウンロード端末内のレンタル型コンテンツリソースを管理することができ、かつ、視聴期限切れのレンタル型コンテンツの不正使用のリスクを減らすことができるという効果を奏するので、ダウンロード端末、コンテンツサーバ、コンテンツ利用方法およびコンテンツ配信システム等として有用である。
【図面の簡単な説明】
【０１５６】
【図１】本発明の実施の形態１のレンタルシステムの構成図
【図２】本発明の実施の形態１のＨＤＤ内コンテンツ管理テーブルのデータ構造図
【図３】本発明の実施の形態１のダウンロード端末のブロック図
【図４】本発明の実施の形態１の事業者ｗｅｂサーバのブロック図
【図５】本発明の実施の形態１の、ダウンロード端末ＩＤとレンタル型コンテンツ蓄積数管理テーブルのデータ構造図
【図６】本発明の実施の形態１の削除ナビのＧＵＩイメージ図
【図７】本発明の実施の形態１のライセンスアップグレード促進画面イメージ図
【図８】本発明の実施の形態１の，ダウンロード端末と事業者ｗｅｂサーバの処理の流れを示すフローチャート図
【図９】本発明の実施の形態２のレンタルシステムの構成図
【図１０】本発明の実施の形態２のレンタル型コンテンツ管理情報のデータ構造図
【図１１】本発明の実施の形態２のダウンロード端末のブロック図
【図１２】本発明の実施の形態２の事業者別蓄積上限数管理テーブルのデータ構造図
【図１３】本発明の実施の形態２の事業者ｗｅｂサーバのブロック図
【図１４】本発明の実施の形態２の，ダウンロード端末と事業者ｗｅｂサーバの処理の流れを示すフローチャート図
【図１５】従来のレンタルシステムの構成図
【図１６】従来のコンテンツ視聴ライセンスのデータ構造図
【図１７】従来のダウンロード端末のブロック図
【図１８】従来のサーバ群の構成およびデータ共有を示す図
【図１９】従来のレンタルシステムの動作概要を示すシーケンス図
【符号の説明】
【０１５７】
１００  事業者ｗｅｂサーバ
１０１  ダウンロードコンテンツサーバ
１０２  ＤＲＭサーバ
１０３  インターネット網
１０４  ダウンロード端末
１０５  ＴＶ
１０６  ネットワークＩ／Ｆ
１０７  購入コンテンツ選択部
１０８  購入コンテンツリスト要求
１０９  コンテンツリストページ
１１０  コンテンツ購入要求
１１１  コンテンツ視聴ライセンス
１１２  ダウンロード実行部
１１３  視聴コンテンツ選択部
１１４  ＤＲＭクライアント
１１６  認証鍵交換処理
１１７  復号鍵要求
１１８  復号鍵
１１９  コンテンツタイトル
１２０  ライセンスＩＤ
１２１  コンテンツリファレンスＩＤ
１２２  ライセンス種別
１２３  視聴期間
１２４  コンテンツＵＲＩ
１２５  ＤＲＭサーバＵＲＩ
１３０  ダウンロード命令
１３１  コンテンツ取得要求
１３２  暗号化コンテンツ
１３３  復号鍵要求
１４０  復号機
１４１  復号命令
１４２  復号コンテンツ
１４３  ＡＶデコーダ
１４４  ＴＶ出力
１５０  発行済みライセンスリスト
１５１  暗号鍵リスト
１７０  コンテンツ視聴ライセンス
１７２  コンテンツリソース
１７３  暗号化機
１７４  暗号化コンテンツ
１８０  ＨＤＤ
２００  ダウンロード端末
２０１  ダウンロード端末
３００  コンテンツ管理部
３０１  コンテンツ削除要求
３０２  コンテンツ削除通知
３０３  ＨＤＤ内コンテンツ削除
３０４  コンテンツ削除要求
３０５  コンテンツ削除通知
３０６  ライセンスアップグレード通知
３０７  ライセンスアップグレード通知
３０８  コンテンツ視聴ライセンス保存
３０９  売り切り型ライセンス
３１０  削除ナビ表示制御部
３１１  ライセンスアップグレード促進画面表示制御部
３１２  削除ナビ表示要求
３１３  ライセンスアップグレード促進画面表示要求
３１４  ライセンスアップグレード拒否通知
３１５  ライセンスアップグレード通知
３１６  コンテンツ削除通知
３２０  コンテンツ管理情報
３２１  コンテンツ管理情報
３２２  コンテンツ蓄積数確認要求
３２３  コンテンツ蓄積数確認
３２４  購入可能通知
３２５  購入可能通知
３２６  コンテンツ蓄積数上限通知
３２７  コンテンツ削除通知
３４０  購入コンテンツ選択部
３５０  ＨＤＤ内コンテンツ管理テーブル
３５１  コンテンツタイトル
３５２  コンテンツＩＤ
３５３  ＨＤＤ内コンテンツ参照先
３５４  レンタル型コンテンツ識別子
３６０  購入コンテンツ選択部
３７０  コンテンツ管理部
３８０  事業者別蓄積上限数管理テーブル
３８１  ＨＤＤ内レンタル型コンテンツ蓄積数
３９０  蓄積上限数管理部
４００  ダウンロード端末ＩＤとレンタル型コンテンツ蓄積数管理テーブル
４０１  端末ＩＤ
４０２  レンタル型コンテンツ蓄積数
５００  削除ナビ
５０１  コンテンツタイトル
５０２  カーソル
５１０  ライセンスアップグレード促進画面
５１１  「はい」ボタン
５１２  「いいえ」ボタン
６００  ネットワークＩ／Ｆ
６０１  コンテンツ購入処理部
６０２  ダウンロード端末内コンテンツ削除処理部
６０３  ライセンスアップグレード処理部
６０４  端末ＩＤ／コンテンツ蓄積数管理データベース
６１０  購入受付通知
６１１  蓄積数要求
６１２  蓄積数通知
６１３  蓄積数加算
６１４  コンテンツ削除要求
６１５  蓄積数減算
６１６  蓄積数減算
６２０  コンテンツ管理情報配信部
６２１  コンテンツ購入処理部
７００  レンタル型コンテンツ管理情報
７０１  コンテンツ事業者識別子
７０２  レンタル型コンテンツ上限蓄積数
８００  事業者ｗｅｂサーバ
８０１  事業者ｗｅｂサーバ
【図１】
2009027384.tif 000003
【図２】
2009027384.tif 000004
【図３】
2009027384.tif 000005
【図４】
2009027384.tif 000006
【図５】
2009027384.tif 000007
【図６】
2009027384.tif 000008
【図７】
2009027384.tif 000009
【図８】
2009027384.tif 000010
【図９】
2009027384.tif 000011
【図１０】
2009027384.tif 000012
【図１１】
2009027384.tif 000013
【図１２】
2009027384.tif 000014
【図１３】
2009027384.tif 000015
【図１４】
2009027384.tif 000016
【図１５】
2009027384.tif 000017
【図１６】
2009027384.tif 000018
【図１７】
2009027384.tif 000019
【図１８】
2009027384.tif 000020
【図１９】
2009027384.tif 000021